(57)【特許請求の範囲】
【請求項１】
リモコン装置を用いて遠隔制御することが可能な被制御機器に設けられリモコン信号光を受光する受光部と、前記受光部に前記リモコン信号光を導く導光部とを備え、
前記導光部は、前記リモコン信号光が入射する入射面と、前記入射面に対して傾斜して対向するように設けられ、前記リモコン信号光を前記受光部側に反射する第１の反射面と、前記入射面と前記第１の反射面との間に設けられ、前記入射面から入射した前記リモコン信号光を前記第１の反射面に導く第２の反射面と、前記第１の反射面と前記受光部との間に設けられ、前記受光部に前記リモコン信号光を出射する出射面とを有し、
前記第１の反射面は、前記入射面に近い部分であって、前記受光部から離れた部分を外側に湾曲する円弧状の湾曲面とし、湾曲面から前記受光部に近づく部分を直線状の傾斜面とした受光装置。
【請求項２】
前記第１の反射面の湾曲面は、曲率半径が導光部の厚み以上である請求項１に記載の受光装置。
【請求項３】
前記導光部の第２の反射面は、前記導光部において、前記入射面と前記第１の反射面との間の内面に形成されたものである請求項１に記載の受光装置。
【請求項４】
前記導光部は、前記出射面が前記入射面と同一方向を向くようなＪ字形状であり、前記第１の反射面と前記出射面との間に、前記第１の反射面で反射された前記リモコン信号光を前記出射面に向かって反射する第３の反射面を設けたことを特徴とする請求項１に記載の受光装置。
【発明の詳細な説明】
【技術分野】
【０００１】
本技術は、被制御機器を遠隔制御するワイヤレスリモートコントローラ（リモコン装置）からのリモコン信号光を受光する受光装置において、特に薄型表示装置に用いる受光装置に関するものである。
【背景技術】
【０００２】
液晶表示装置などを表示デバイスとして用いたテレビジョンや各種の広告宣伝のためのモニターなどの薄型表示装置は、一般家庭や多くの商業施設に普及するに伴い、多種多様な設置形態で使用されるようになってきている。例えば、家屋の壁に設置する形態、家具に据え置いたり、組み込んだりする形態、天井から吊り下げる形態などで使用されている。
【０００３】
また、薄型表示装置の特長を生かした多種多様な使用形態に応じて、最近は、大画面でかつ外形寸法がコンパクトな狭額縁の外観デザインを持つ製品が好まれている。
【０００４】
一方、薄型表示装置においては、薄型のデザインで、多種多様の設置形態に対応するために、電源のオンオフからチャンネルの切り替え、入力信号の切り替えなどの機器の操作は、リモコン装置を用いて行うのが一般的になっている（特許文献１参照）。
【０００５】
このようにリモコン装置による操作が一般的な薄型表示装置において、狭額縁でより薄型の外観デザインの製品が求められるに伴い、薄型表示装置に用いられるリモコン装置の受光装置に対しても、コンパクトで受光感度が良好な装置が求められている。
【先行技術文献】
【特許文献】
【０００６】
【特許文献１】特開２００８−７８８９６号公報
【発明の概要】
【０００７】
本技術による受光装置は、リモコン装置を用いて遠隔制御することが可能な被制御機器に設けられリモコン信号光を受光する受光部と、受光部にリモコン信号光を導く導光部とを備えている。導光部は、リモコン信号光が入射する入射面と、入射面に対して傾斜して対向するように設けられ、リモコン信号光を受光部側に反射する第１の反射面と、入射面と第１の反射面との間に設けられ、入射面から入射したリモコン信号光を第１の反射面に導く第２の反射面と、第１の反射面と受光部との間に設けられ、受光部にリモコン信号光を出射する出射面とを有している。第１の反射面は、入射面に近い部分であって受光部から離れた部分を外側に湾曲する円弧状の湾曲面とし、湾曲面から受光部に近づく部分を直線状の傾斜面としている。
【０００８】
本技術によれば、受光装置を備えた薄型表示装置をリモコン装置で操作する場合に、十分な受光感度を得るための入射面に対するリモコン信号光の入射角が広がることとなり、これによりコンパクトで受光感度が良好な受光装置を提供することができる。
【図面の簡単な説明】
【０００９】
【図１】図１は本技術の一実施の形態による受光装置を備えた薄型表示装置を示す斜視図である。
【図２】図２は図１のＡ部を拡大して示す拡大図である。
【図３】図３は本技術の一実施の形態による受光装置を示す断面図である。
【図４】図４は本技術の一実施の形態による受光装置において、リモコン信号光の伝播の一例を示す説明図である。
【図５】図５は本技術の一実施の形態による受光装置において、受光感度を説明するための説明図である。
【発明を実施するための形態】
【００１０】
以下、本技術の一実施の形態による受光装置について、図面を用いて説明するが、本技術はこれに限定されるものではない。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者らは、当業者が本技術を十分に理解するために添付図面および以下の説明を提供するのであって、これらによって請求の範囲に記載の主題を限定することを意図するものではない。
【００１２】
図１は、本技術の一実施の形態による受光装置を備えた薄型表示装置を示す斜視図である。図２は、図１のＡ部を拡大して示す拡大図である。
【００１３】
図１、図２に示すように、被制御機器である平板状の薄型表示装置１は、画面２の周囲に設けられる狭額縁の筐体３を有し、筐体３の下辺部には、ユーザー４が操作するリモコン装置５からの赤外線信号などのリモコン信号光６を受光する受光装置７が設置されている。
【００１４】
図３は、本技術の一実施の形態による受光装置を示す断面図である。
【００１５】
図３に示すように、受光装置７は、リモコン信号光を受光する光検出センサなどから構成される受光部８と、受光部８にリモコン信号光６を導くアクリル樹脂製のライトガイド部材である柱状の導光部９とを備えている。そして、導光部９は、リモコン信号光６が入射する入射面１０と、入射面１０に対して所定の角度で傾斜して対向するように設けられ、リモコン信号光６を受光部８側に反射する第１の反射面１１と、入射面１０と第１の反射面１１との間に設けられ、入射面１０から入射したリモコン信号光６を第１の反射面１１に導く第２の反射面１２と、第１の反射面１１と受光部８との間に設けられ受光部８にリモコン信号光６を出射する出射面１３とを有している。
【００１６】
導光部９の第１の反射面１１は、導光部９の軸方向の中心線Ｃを境界として、入射面１０に近い部分であって、受光部８から離れた部分（図３の点線Ｒで示す範囲）は、外側に湾曲する円弧状の湾曲面１１ａとし、湾曲面１１ａから受光部８に近づく部分を直線状の傾斜面１１ｂとした形状としている。
【００１７】
また、導光部９の第２の反射面１２は、導光部９において、入射面１０と第１の反射面１１との間の内面に形成されたものであり、さらに第１の反射面１１は、第２の反射面１２に対してほぼ４５度の角度となるように形成されている。
【００１８】
図４は、本技術の一実施の形態による受光装置において、リモコン信号光の伝播の一例を示す説明図である。図４に示すように、リモコン装置５から送信され、導光部９の入射面１０から入射したリモコン信号光６は、導光部９の内面に設けた第２の反射面１２により全反射しながら伝播して、第１の反射面１１に到達する。第１の反射面１１に達したリモコン信号光６は、この第１の反射面１１においてほぼ直角に反射され、導光部９の出射面１３から出射して受光部８に到達する。
【００１９】
ここで、第１の反射面１１は、円弧状の湾曲面１１ａと、直線状の傾斜面１１ｂとを有する形状としている。第１の反射面１１の湾曲面１１ａは、入射面１０から入射し、第２の反射面１２で全反射されるリモコン信号光６を、直接出射面１３に向けて反射させる光路と、直線状の傾斜面１１ｂに向けて反射し、直線状の傾斜面１１ｂ経由で出射面１３に反射させる光路とを形成する。これにより、入射面１０から入射してくるリモコン信号光６を効率よく出射面１３に導光することができる。
【００２０】
図５は、本技術の一実施の形態による受光装置において、受光感度を説明するための説明図である。図５に示すように、一般的なリビングルーム２０の台２１に設置される薄型表示装置１において、本技術による受光装置７を用い、受光装置７に対して、リモコン装置５を上下方向に角度（図５の角度Ｂ）を変化させるとともに、リモコン装置５と受光装置７までの距離を変化させて、操作可能な範囲を調べた。
【００２１】
なお、受光装置７の導光部９は、厚みが３ｍｍ、長さが１５ｍｍのアクリル樹脂製のライトガイド部材で構成し、第１の反射面１１の円弧状の湾曲面１１ａと傾斜面１１ｂは、厚み方向の長さをそれぞれ１．５ｍｍとした。また、第１の反射面１１は、導光部９の軸方向に対する傾斜角度を４５度とした。
【００２２】
本技術による受光装置によれば、図５の角度Ｂが２０度（上下方向の角度±１０度）の範囲において、約１５ｍ離れた地点からリモコン装置５を使って操作することが可能であった。このように十分な受光感度を得るためのリモコン信号光の入射角を広げることができ、受光感度が良好な受光装置を提供することができる。
【００２３】
なお、導光部９について、第１の反射面１１の円弧状の湾曲面１１ａの半径を変更したサンプルを準備し、同様な検討を行ったところ、第１の反射面１１の円弧状の湾曲面１１ａの曲率半径は、導光部９の厚み以上にするのが望ましいことが判明した。
【００２４】
以上のように本技術による受光装置においては、導光部９は、リモコン信号光６が入射する入射面１０に対して鋭角の角度で傾斜して対向するように設けられ、リモコン信号光６を受光部８側に反射する第１の反射面１１と、入射面１０と第１の反射面１１との間に設けられ、入射面１０から入射したリモコン信号光６を第１の反射面１１に導く第２の反射面１２とを有している。第１の反射面１１は、入射面１０に近い部分であって、受光部８から離れた部分を外側に湾曲する円弧状の湾曲面１１ａとし、湾曲面１１ａから受光部８に近づく部分を直線状の傾斜面１１ｂとした。
【００２５】
これにより、受光装置を備えた薄型表示装置をリモコン装置で操作する場合に、十分な受光感度を得るための入射面に対するリモコン信号光の入射角が広がることとなり、コンパクトで受光感度が良好な受光装置を提供することができる。
【００２６】
なお、上記実施の形態で説明した導光部９は、出射面１３が入射面１０に対してほぼ直交する方向に設けた例であるが、このような例以外の形状の導光部９であっても同様な効果が得られる。例えば、導光部９は、出射面１３が入射面１０と同一方向を向くようなＪ字形状であり、第１の反射面１１と出射面１３との間に、第１の反射面１１で反射されたリモコン信号光６を出射面１３に向かって反射する別の第３の反射面を設けた構成としても、上記実施の形態と同様な効果が得られる。
【００２７】
以上のように、本開示における技術の例示として、実施の形態を説明した。そのために、添付図面および詳細な説明を提供した。
【００２８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００２９】
また、上述の実施の形態は、本開示における技術を例示するためのものであるから、請求の範囲またはその均等の範囲において種々の変更、置き換え、付加、省略などを行うことができる。
【産業上の利用可能性】
【００３０】
以上のように本技術は、薄型表示装置などに用いられるリモコン装置の受光装置において、コンパクトで受光感度が良好な受光装置を提供する上で有用な発明である。
【符号の説明】
【００３１】
１    薄型表示装置
２    画面
３    筐体
４    ユーザー
５    リモコン装置
６    リモコン信号光
７    受光装置
８    受光部
９    導光部
１０    入射面
１１    第１の反射面
１１ａ    湾曲面
１１ｂ    傾斜面
１２    第２の反射面
１３    出射面
２０    リビングルーム
２１    台
【図１】
0005970658.tif 000002
【図２】
0005970658.tif 000003
【図３】
0005970658.tif 000004
【図４】
0005970658.tif 000005
【図５】
0005970658.tif 000006